(57)【特許請求の範囲】
【請求項１】
冷温水供給ユニット、行き側冷温水ヘッダー、戻り側冷温水ヘッダー、冷温水流量調整バルブ及び複数の輻射冷暖房パネルを備えている冷温水通路系と、冷温水供給ユニットコントローラー、制御盤、冷暖房切換えスイッチ及びルーム温度コントローラーを備えている制御系とから構成されていると共に、上記各輻射冷暖房パネルの下部を保持しかつ各輻射冷暖房パネルに生じる結露を処理する結露受けを設けてあり、
上記冷温水供給ユニットは、冷温水を上記行き側冷温水ヘッダー及び戻り側冷温水ヘッダーを介して並列に接続されている各輻射冷暖房パネルに供給する供給源であり、
上記冷温水流量調整バルブは、上記行き側冷温水ヘッダーから分岐されかつ上記各輻射冷暖房パネルに冷温水を供給する各冷温水分岐通路に設けられており、
上記各輻射冷暖房パネルは、その背面の上下両端にパイプ状の支持部材をパネルの幅方向に沿ってそれぞれ取り付けてあって、上記背面と壁との間に間隔を隔てて配置されており、
上記制御盤は、上記冷温水流量調整バルブ、上記冷温水供給ユニット、冷暖房切換えスイッチ及び上記各ルーム温度コントローラーにそれぞれ接続されており、
上記冷温水供給ユニットコントローラーは、上記冷温水供給ユニットを通じて冷房及び暖房の信号を上記制御盤に送信可能であり、
上記制御盤は、上記冷暖房切換えスイッチからの冷房及び暖房の信号を受信することができ、受信した上記信号に基づいて上記冷温水流量調整バルブのバルブ開度を調整制御することができ、上記冷温水供給ユニットコントローラーからの冷房及び暖房の信号の受信を通じて上記各ルーム温度コントローラーからの温度に関するデータに基づいて上記冷温水流量調整バルブのバルブ開度を調整制御するものであり、
上記結露受けは、床に固定してある保持脚に保持されていると共に上記輻射冷暖房パネルに生じる結露を処理するドレン板と、このドレン板上に起立しているパネル受け体とを設けてあり、
上記ドレン板はその側面形状が背面側の側面辺部の幅を正面側の側面辺部のそれより広く設定してあるＶ形であって、正面両側から中央部分に配置してある排水管に向けて下り勾配に形成されており、
上記ドレン板の正面両側に通路案内孔を形成してあり、一方の通路案内孔は行き側冷温水分岐通路が貫通可能であり、他方の通路案内孔は戻り側冷温水分岐通路が貫通可能であり、
上記輻射冷暖房パネルは、上端側が上記壁から突出されている保持部材の先端側で上記支持部材を介して保持され、下端側が上記パネル受け体に上記支持部材を介して保持されており、
上記Ｖ形のドレン板内の上記背面側の側面辺部上に上記パネル受け体を配置し、谷部上に上記輻射冷暖房パネルの下端部が間隔を隔てて対向されており、
上記排水管は床下に延伸されている
ことを特徴とする輻射冷暖房システム。
【請求項２】
制御盤に接続すると共に、冷温水供給ユニットと行き側冷温水ヘッダーとを接続する行き側冷温水通路内を流れる冷温水の温度を感知する温度センサーを設けてあり、上記制御盤は上記温度センサーからの信号を受信することができることを特徴とする請求項１記載の輻射冷暖房システム。
【請求項３】
冷温水流量調整バルブは電動比例バルブであり、制御盤はルーム温度コントローラーからのデータである空調設定温度と各部屋の空気温度の差に比例するように上記冷温水流量調整バルブのバルブ開度を調整制御可能であることを特徴とする請求項１又は請求項２に記載の輻射冷暖房システム。
【請求項４】
行き側冷温水ヘッダーの上流側の冷温水通路と、戻り側冷温水ヘッダーの下流側の冷温水通路との間にバイパスバルブを設けてあり、このバイパスバルブが制御盤によって制御されていることを特徴とする請求項１乃至請求項３のいずれかに記載の輻射冷暖房システム。
【発明の詳細な説明】
【技術分野】
【０００１】
この発明は、建物内空間を冷暖房するための輻射冷暖房システムに関する。
【背景技術】
【０００２】
輻射暖房は、暖房時のハウスダストによる室内汚染がなく、輻射熱と自然対流による暖房であることから騒音の問題が少なく、さらに室内の空気を輻射熱により乾燥させるために過乾燥がないことから、現在寒冷地などで広く利用されている。
従来の輻射暖房システムは、図６に示す例によれば、温水供給ユニットＵ、複数の暖房放熱パネルＰ１，Ｐ２及び温水バイパス用サーモバルブＶ１，Ｖ２を備えている。温水供給ユニットＵの加熱手段（灯油ボイラー、ガスボイラー又は電気温水器など）によって加熱された温水は、行き側温水配管を通じてまず最上流に位置している暖房放熱パネルＰ１に供給され、この暖房放熱パネルに供給された温水は温水バイパス用サーモバルブＶ１を経て各部屋に設置されている下流側の暖房放熱パネル（最下流の暖房放熱パネルＰ２のみ図示）に順次供給される。各暖房放熱パネルＰ１，Ｐ２に供給された温水の熱が輻射熱として各部屋内に放出されて自然対流によって空間が暖房される。
最下流に位置している暖房放熱パネルＰ２内を通過した使用済みの温水は、この暖房放熱パネル外に出て、温水バイパス用サーモバルブＶ２から戻り側温水配管を通じて温水供給ユニットＵに戻る。
各暖房放熱パネルＰ１，Ｐ２における温水バイパス用サーモバルブＶ１，Ｖ２は、それぞれが設置されている部屋の温度を感知して開閉され、温水の排出量が調整される。
【発明の開示】
【発明が解決しようとする課題】
【０００３】
従来の輻射暖房システムは暖房のみに限定されており、輻射冷房を兼用できるシステムとして転用することができなかった。
そのために、冷水を供給して冷房も可能にする輻射冷暖房システムの開発が期待されていた。
また従来例の具体的な課題として、複数の暖房放熱パネルＰ１，Ｐ２は温水供給ユニットＵに対して直列的に配管によって接続されているために、空調を必要とする各部屋の熱負荷に対して最適な熱量を供給することができないことである。また、温水バイパス用サーモバルブＶ１，Ｖ２は構造上、暖房放熱パネルの近傍に設置されており、この暖房放熱パネルからの熱の影響を受けるため、感知する温度が各部屋の代表温度になり得ないことから、温水バイパス用サーモバルブの本来の機能が十分発揮されない不都合がある。
この発明の目的は、空調を必要とする空間の熱負荷に対して最適な熱量を供給することができる輻射冷暖房システムを提供することにある。
この発明の他の目的は、冷暖房時に生じる結露の処理を円滑に行えるようにすることにある。
【課題を解決するための手段】
【０００４】
この発明に係る輻射冷暖房システムの第１の特徴は、冷温水供給ユニット、行き側冷温水ヘッダー、戻り側冷温水ヘッダー、冷温水流量調整バルブ及び複数の輻射冷暖房パネルを備えている冷温水通路系と、冷温水供給ユニットコントローラー、制御盤、冷暖房切換えスイッチ及びルーム温度コントローラーを備えている制御系とから構成されていると共に、上記各輻射冷暖房パネルの下部を保持しかつ各輻射冷暖房パネルに生じる結露を処理する結露受けを設けてあることにある。上記冷温水供給ユニットは、冷温水を上記行き側冷温水ヘッダー及び戻り側冷温水ヘッダーを介して並列に接続されている各輻射冷暖房パネルに供給する供給源である。上記冷温水流量調整バルブは、上記行き側冷温水ヘッダーから分岐されかつ上記各輻射冷暖房パネルに冷温水を供給する各冷温水分岐通路に設けられている。上記各輻射冷暖房パネルは、その背面の上下両端にパイプ状の支持部材をパネルの幅方向に沿ってそれぞれ取り付けてあって、上記背面と壁との間に間隔を隔てて配置されている。上記制御盤は、上記冷温水流量調整バルブ、上記冷温水供給ユニット、冷暖房切換えスイッチ及び上記各ルーム温度コントローラーにそれぞれ接続されている。上記冷温水供給ユニットコントローラーは、上記冷温水供給ユニットを通じて冷房及び暖房の信号を上記制御盤に送信可能である。上記制御盤は、上記冷暖房切換えスイッチからの冷房及び暖房の信号を受信することができ、受信した上記信号に基づいて上記冷温水流量調整バルブのバルブ開度を調整制御することができ、上記冷温水供給ユニットコントローラーからの冷房及び暖房の信号の受信を通じて上記各ルーム温度コントローラーからの温度に関するデータに基づいて上記冷温水流量調整バルブのバルブ開度を調整制御するものである。上記結露受けは、床に固定してある保持脚に保持されていると共に上記輻射冷暖房パネルに生じる結露を処理するドレン板と、このドレン板上に起立しているパネル受け体とを設けてある。上記ドレン板はその側面形状が背面側の側面辺部の幅を正面側の側面辺部のそれより広く設定してあるＶ形であって、正面両側から中央部分に配置してある排水管に向けて下り勾配に形成されている。上記ドレン板の正面両側に通路案内孔を形成してあり、一方の通路案内孔は行き側冷温水分岐通路が貫通可能であり、他方の通路案内孔は戻り側冷温水分岐通路が貫通可能である。上記輻射冷暖房パネルは、上端側が上記壁から突出されている保持部材の先端側で上記支持部材を介して保持され、下端側が上記パネル受け体に上記支持部材を介して保持されている。上記Ｖ形のドレン板内の上記背面側の側面辺部上に上記パネル受け体を配置し、谷部上に上記輻射冷暖房パネルの下端部が間隔を隔てて対向されている。上記排水管は床下に延伸されている。
【０００５】
この発明の第２の特徴は、第１の特徴を備えており、制御盤に接続すると共に、冷温水供給ユニットと行き側冷温水ヘッダーとを接続する行き側冷温水通路内を流れる冷温水の温度を感知する温度センサーを設けてあり、上記制御盤は上記温度センサーからの信号を受信することができることにある。
この発明の第３の特徴は、第１又は第２の特徴を備えており、冷温水流量調整バルブは電動比例バルブであり、制御盤はルーム温度コントローラーからのデータである空調設定温度と各部屋の空気温度の差に比例するように上記冷温水流量調整バルブのバルブ開度を調整制御可能であることにある。
この発明の第４の特徴は、第１乃至第３のいずれかの特徴を備えており、行き側冷温水ヘッダーの上流側の冷温水通路と、戻り側冷温水ヘッダーの下流側の冷温水通路との間にバイパスバルブを設けてあり、このバイパスバルブが制御盤によって制御されていることにある。
【発明の効果】
【０００６】
この発明に係る輻射冷暖房システムによれば、簡単な構成によって輻射冷房と暖房の双方が可能となり、冷暖房空調を必要とする空間の熱負荷に対して最適な熱量を供給することができる。
この発明に係る輻射冷暖房システムによれば、結露受けによって輻射冷暖房パネルの下側を確実に保持できると共に輻射冷暖房パネルに生じた結露を円滑に処理することができる。
【発明を実施するための最良の形態】
【０００７】
この発明に係る輻射冷暖房システムについて図１を参照して説明する。
図示する輻射冷暖房システム１は、冷温水供給ユニット２、行き側冷温水ヘッダー３、戻り側冷温水ヘッダー４、冷温水流量調整バルブである電動比例バルブ５Ａ，５Ｂ、輻射冷暖房パネル６（６Ａ，６Ｂ）、バイパスバルブ７、冷温水供給ユニットコントローラー８、制御盤９、冷暖房切換えスイッチ１０及びルーム温度コントローラー１１Ａ，１１Ｂを備えている。
冷温水供給ユニット２、行き側冷温水ヘッダー３、戻り側冷温水ヘッダー４、電動比例バルブ５Ａ，５Ｂ及び輻射冷暖房パネル６は冷温水通路系を構成し、冷温水供給ユニットコントローラー８、制御盤９及び冷暖房切換えスイッチ１０及びルーム温度コントローラー１１Ａ，１１Ｂは制御系を構成している。
輻射冷暖房パネルに係る符号については、この輻射冷暖房パネルを総称する場合には符号「６」を、個別のものを指す場合には符号「６Ａ」，「６Ｂ」をそれぞれ必要に応じて使用する。
【０００８】
冷温水供給ユニット２は、内蔵する冷却手段及び加熱手段によって冷却された冷水又は加熱された温水を行き側冷温水通路である行き側冷温水配管を通じて分岐手段である行き側冷温水ヘッダー３に向けて供給する冷温水供給源である。
行き側冷温水ヘッダー３には分岐口を介して複数の輻射冷暖房パネル６が接続されており、図示の例では別々の部屋に設置されている２台の輻射冷暖房パネル６Ａ，６Ｂが行き側冷温水ヘッダー３で分岐された各行き側冷温水分岐配管を介して接続されている。行き側冷温水ヘッダー３と各輻射冷暖房パネル６Ａ，６Ｂとを接続する行き側冷温水分岐通路である行き側冷温水分岐配管は、それぞれ電動比例バルブ５Ａ，５Ｂが介在されている。電動比例バルブ５Ａは下流側の輻射冷暖房パネル６Ａに対応し、電動比例バルブ５Ｂは下流側の輻射冷暖房パネル６Ｂに対応している。
戻り側冷温水ヘッダー４には、上流側で戻り側冷温水分岐通路である戻り側冷温水分岐配管を介して輻射冷暖房パネル６Ａ，６Ｂが接続されている。また戻り側冷温水ヘッダー４には下流側で戻り側冷温水通路である戻り側冷温水配管を介して冷温水供給ユニット２が接続されている。
このように、各輻射冷暖房パネル６Ａ，６Ｂは冷温水供給ユニット２に対して並列関係にある。
したがって、冷温水供給ユニット２からの冷温水は、行き側冷温水配管及び行き側冷温水ヘッダー３から各行き側冷温水分岐配管を通じて各輻射冷暖房パネル６Ａ，６Ｂにそれぞれに供給される。使用済みの冷温水は、各輻射冷暖房パネル６Ａ，６Ｂを出て、戻り側冷温水分岐配管から戻り側冷温水ヘッダー４及び戻り側冷温水配管を経て冷温水供給ユニット２に戻る。
バイパスバルブ７は、行き側冷温水ヘッダー３の上流側で接続されている行き側冷温水配管と、戻り側冷温水ヘッダー４の下流側で接続されている戻り側冷温水配管との間に設けられている。
【０００９】
図１に示すように冷温水供給ユニットコントローラー８は、電気的に接続されている冷温水供給ユニット２の制御手段である。冷温水供給ユニットコントローラー８は、冷温水供給ユニット２を通じて冷房及び暖房の信号を制御盤９に送信することができる。
制御盤９は、図１に示すように冷温水供給ユニット２、電動比例バルブ５Ａ，５Ｂ、バイパスバルブ７、冷暖房切換えスイッチ１０、ルーム温度コントローラー１１Ａ，１１Ｂ及び温度センサー１４にそれぞれ電気的に接続されている。
制御盤９は、冷温水供給ユニットコントローラー８の操作によって冷温水供給ユニット２から冷房又は暖房の信号が出力される場合には、これを受信することができる。この信号を受信した制御盤９は、ルーム温度コントローラー１１Ａ，１１Ｂから空調設定温度と各部屋の空気温度の差に比例するように電動比例バルブ５Ａ，５Ｂのバルブ開度の調整制御を可能にしている。
冷暖房切換えスイッチ１０は、冷温水供給ユニット２から冷房又は暖房の信号が出力されない場合に用いられる。この場合には、制御盤９は、冷暖房切換えスイッチ１０の操作によって冷房又は暖房の信号を受ける。
暖房としてシステムが定められている場合、ルーム温度コントローラー１１Ａ，１１Ｂによる各部屋の空調設定温度と室内空気温度に関するデータが制御盤９に送られるから、この制御盤は電動比例バルブ５Ａ，５Ｂによる温水の流量を制御する。この制御によって暖房温度が調整される。
冷房としてシステムが定められている場合、ルーム温度コントローラー１１Ａ，１１Ｂによる各部屋の空調設定温度と室内空気温度に関するデータが制御盤９に送られるから、この制御盤は電動比例バルブ５Ａ，５Ｂによる冷水の流量を制御する。この制御によって冷房温度が調整される。
温度センサー１４は冷温水供給ユニット２と行き側冷温水ヘッダー３とを接続している行き側冷温水配管の外周面に固着されている。温度センサー１４は行き側冷温水配管内を流れる冷水又は温水の温度を感知して暖房又は冷房を判断する機能を有する。
温度センサー１４は、冷温水供給ユニット２又は冷暖房切換えスイッチ１０から冷房又は暖房の信号が出力されない場合に用いられる。この場合には、制御盤９は、温度センサー１４から感知された冷房又は暖房の信号を受ける。
【００１０】
次に、図１に示す輻射冷暖房システム１の使用法について説明する。
各部屋を暖房する場合について説明する。
予め、冷温水供給ユニット２において、冷温水供給ユニットコントローラー８の操作によって、温水供給のための加熱手段の駆動側に切り替えておく。
冷温水供給ユニット２に内蔵されている加熱手段であるヒートポンプが駆動されると、温水が行き側冷温水配管によって行き側冷温水ヘッダー３に流れ、この行き側冷温水ヘッダーの各分岐口に接続されている行き側冷温水分岐配管を流れて各輻射冷暖房パネル６Ａ，６Ｂに供給される。各輻射冷暖房パネル６Ａ，６Ｂが温水を通じて各部屋内に輻射熱を放出するから各部屋内が暖房される。
暖房時において、冷温水供給ユニットコントローラー８の操作によって冷温水供給ユニット２から暖房の信号を制御盤９に向けて出力する。
暖房の信号を受信した制御盤９は、ルーム温度コントローラー１１Ａ，１１Ｂから空調設定温度と各部屋の空気温度の差に比例するように電動比例バルブ５Ａ，５Ｂのバルブ開度の調整をする。この調整によって、行き側冷温水ヘッダー３から行き側冷温水分岐配管を通じて各輻射冷暖房パネル６Ａ，６Ｂに供給される温水の供給量は、各部屋の最適な室温になるように調整される。
各部屋を冷房する場合についても、暖房する場合と同様であり、冷温水供給ユニット２からの冷水は、行き側冷温水ヘッダー３及び行き側冷温水分岐配管を経て各輻射冷暖房パネル６Ａ，６Ｂに供給され、各輻射冷暖房パネルが冷水を通じて輻射熱によって室内の空気を冷やし、その結果各部屋内が冷房される。
冷房時には、冷温水供給ユニットコントローラー８の切換え操作によって冷房の信号を冷温水供給ユニット２から制御盤９に向けて出力すると、制御盤９によって制御される電動比例バルブ５Ａ，５Ｂのバルブ開度の調整を通じて、冷水の供給量が調整されて、各部屋の最適な室内の冷房温度に調整される。
冷温水供給ユニット２から冷房又は暖房の信号が出力されない場合には、冷暖房切換えスイッチ１０の操作によって、冷房又は暖房の信号を制御盤９に向けて出力する。冷房又は暖房の信号を受けた制御盤９によって、電動比例バルブ５Ａ，５Ｂのバルブ開度が調整され、輻射冷暖房パネル６Ａ，６Ｂに供給される冷水又は温水の供給量が調整される。
各輻射冷暖房パネル６Ａ，６Ｂ内を通過した使用済みの冷水又は温水は、各戻り側冷温水分岐配管を通じて各輻射冷暖房パネル外に流出して戻り側冷温水ヘッダー４を経て戻り側冷温水配管を流れて冷温水供給ユニット２に戻る。
すべての電動比例バルブ５Ａ，５Ｂが閉じた場合には、制御盤９によって制御されるバイパスバルブ７が開き、配管内圧力上昇を回避する。
各輻射冷暖房パネル６Ａ，６Ｂの外面に生じた結露は下方に流れて結露受け１２に溜まり、やがて排水管１３から排出される。
各輻射冷暖房パネル６は図２に示すように上下両端の背面にパイプ状の支持部材１５ａ，１５ｂが取り付けられている。支持部材１５ａ，１５ｂは輻射冷暖房パネル６の全幅に相当する長さを有している。各輻射冷暖房パネル６は、その下側を床１６上に固定された結露受け１２に支持部材１５ａを介して保持され、また上側を壁１７に取り付けられている保持部材１８に支持部材１５ｂを介して保持されている。
【００１１】
図１に示す電動比例バルブ５Ａ，５Ｂは、施工上、行き側冷温水ヘッダー３と分離して、又はユニット化（一体）して設置してもいずれでも良い。電動比例バルブ５Ａ，５Ｂは、行き側冷温水ヘッダー３と制御盤９と共にユニット化しても良い。また電動比例バルブを戻り側冷温水分岐配管に設けても良い。電動比例バルブには熱動弁を含む。
輻射冷暖房パネル６は必ずしも部屋毎に配置することを要せず、同一部屋内に複数配置するようにしても良い。
【００１２】
この発明に係る輻射冷暖房システムに用いる結露受け１２について、主に図２〜図５を参照して説明する。
結露受け１２には両側板１２ａ，１２ｂ間に渡したドレン板１９を配置してある。ドレン板１９は正面両端から中央に向けて下がり勾配となっている。ドレン板１９の中央部分に排水管１３の上端部が露出されている。ドレン板１９は図５に示すように、側面形状がほぼＶ形に形成されており、かつ同図右側面辺部１９ａが左側面辺部１９ｂより幅が長い。ドレン板１９は、正面両側であって、右側面辺部１９ａの下側を保持脚２０によって保持されている。保持脚２０のベース２０ａは床１６（図２）に固定される。ドレン板１９は、正面両側であって、右側面辺部１９ａの上側に保持手段であるパネル受け体２１を起立してある。
各パネル受け体２１は対の受け板２１ａからなり、これらの受け板の上部にほぼ半円形の受け凹部２１ａ１を設けてある。
結露受け１２の両側板１２ａ，１２ｂ内側に通路案内孔である配管案内用パイプ２２Ａ，２２Ｂをそれぞれ取り付けてある。配管案内用パイプ２２Ａ，２２Ｂはドレン板１９に差し込まれた状態で固定されている。一方の配管案内用パイプ２２Ａには行き側冷温水分岐配管が貫通可能であり、他方の配管案内用パイプ２２Ｂには戻り側冷温水分岐配管が貫通可能である。
【００１３】
結露受け１２と輻射冷暖房パネル６との関係について説明する。
図２〜図５に示すように、輻射冷暖房パネル６の下側の支持部材１５ａを結露受け１２のパネル受け体２１の受け凹部２１ａ１に嵌め込むことによって、輻射冷暖房パネル６の下側が結露受け１２によって起立状態に保持される。輻射冷暖房パネル６は、結露受け１２によって保持されている状態では、その下側がドレン板１９の図５の左側面辺部１９ｂに所定の空間を置いて対向されている。このため、輻射冷暖房パネル６の表面に生じた結露は下方に流れて、排水管１３に向けて傾いているドレン板１９内に落ちるから、集められた結露水がドレン板上を流れて、やがて排水管から排出される。
【００１４】
図３に示す結露受け１２は、輻射冷暖房パネル６の下側を保持する保持台の役割をすると同時に、傾斜するドレン板１９を通じて結露水を円滑に処理をする役割を有している。
このように、結露受け１２は、排水ドレンを兼用しているパネル保持台である。
【図面の簡単な説明】
【００１５】
【図１】この発明に係る輻射冷暖房システムを示す構成図である。
【図２】この発明に係る輻射冷暖房システムに用いる輻射冷暖房パネルの取り付け状態を示す側面図である。
【図３】この発明に係る輻射冷暖房システムに用いる結露受けの斜視図である。
【図４】この発明に係る輻射冷暖房システムに用いる結露受けの拡大平面図である。
【図５】図４のＶ−Ｖ線拡大断面図である。
【図６】従来の輻射暖房システムを示す構成図である。
【符号の説明】
【００１６】
１                      輻射冷暖房システム
２                      冷温水供給ユニット
３                      行き側冷温水ヘッダー
４                      戻り側冷温水ヘッダー
５Ａ，５Ｂ              電動比例バルブ（冷温水流量調整バルブ）
６，６Ａ，６Ｂ          輻射冷暖房パネル
７                      バイパスバルブ
８                      冷温水供給ユニットコントローラー
９                      制御盤
１０                    冷暖房切換えスイッチ
１１Ａ，１１Ｂ          ルーム温度コントローラー
１２                    結露受け
１３ 排水管
１４                    温度センサー
１５ａ，１５ｂ 支持部材
１６ 床
１７ 壁
１８ 保持部材
１９                    ドレン板
１９ａ                  右側面辺部（背面側の側面辺部）
１９ｂ                  左側面辺部（正面側の側面辺部）
２０                    保持脚
２１                    パネル受け体
２２Ａ，２２Ｂ          配管案内用パイプ（通路案内孔）
【図１】
0005441335.tif 000002
【図２】
0005441335.tif 000003
【図３】
0005441335.tif 000004
【図４】
0005441335.tif 000005
【図５】
0005441335.tif 000006
【図６】
0005441335.tif 000007